(57)【要約】      （修正有）【課題】ファンの性能及び構造強度に影響しないという前提の下、回転軸の高さを低くして、ファン全体を軽薄化するファンを提供する。【解決手段】本ファン２は、ハウジング２１、羽根車２２及び少なくとも１個の制限機構２３を備える。ハウジング２１は収納空間を有する。羽根車２２は収納空間に設置されて、ハブ２２１を有して、複数の羽根２２２がハブ２２１の周縁に配置される。制限機構２３は、羽根２２２の先端とハウジング２１の内側の間に位置して、さらに、羽根２２２の先端またはハウジング２１の内側に設置される。【選択図】図２Ａ
0003174362.tif 000002
【実用新案登録請求の範囲】
【請求項１】
収納空間を有するハウジングと、
前記収納空間に設置されて、ハブ及び前記ハブの周縁に配置される複数の羽根を有する羽根車と、
前記羽根の先端と前記ハウジングの内側の間に位置し、且つ、前記羽根の先端または前記ハウジングの内側に設置される少なくとも１個の制限機構とを備えることを特徴とする
ファン。
【請求項２】
前記制限機構と前記ハウジングは一体であって、前記制限機構は前記ハウジングの一突出部分または前記羽根に向かって延伸した一端部であって、前記制限機構は、環状突出物であって、前記ハウジングの内側に設置されることを特徴とする
請求項１に記載のファン。
【請求項３】
前記制限機構と前記羽根は一体であって、前記制限機構は突出物であって、前記羽根の上縁に突出して設置されることを特徴とする
請求項１に記載のファン。
【請求項４】
前記ハウジングは、上部カバー及び下部カバーを有して、前記上部カバーと前記下部カバーは結合して前記収納空間を定義して、前記制限機構は前記羽根の先端と前記上部カバーの内側の間に位置することを特徴とする
請求項１に記載のファン。
【請求項５】
前記制限機構は、磁性材料を有することを特徴とする
請求項１に記載のファン。
【請求項６】
前記ファンは、複数の前記制限機構を有して、前記制限機構と前記ハブの回転軸の間の距離は全て同一であることを特徴とする
請求項１に記載のファン。
【請求項７】
前記制限機構と前記ハブの回転軸の間の距離は、羽根末端と回転軸の間の距離と、ハウジング開口部と回転軸の間の距離との間の範囲にあることを特徴とする
請求項１に記載のファン。
【考案の詳細な説明】
【技術分野】
【０００１】
本考案は、ファンに関し、特に、羽根の脱落を防止するファンに関する。
【背景技術】
【０００２】
ノートパソコンやタブレットパソコン等の薄型電子計算装置は、すでに強大な機能の高速プロセッサが内蔵されている。  
これらのプロセッサが演算時に発生させる熱は、ファンのような適当な放熱素子によって放熱する必要があり、そうすることで、計算装置の安定した作動が可能となる。
【０００３】
ノートパソコンにとって、軽薄且つ携帯に便利であるという目標を達成させるため、その内部の放熱ファンはたいてい遠心式ファンが使用されている。  
しかしながら、ノートパソコンは、携帯または設置の過程において、ぶつかったり、放熱設計を配置したりすることで、ファン内の回転軸が傾斜したり、脱落したりする可能性がある。  
この問題を解決するため、図１に示したように、ファン１は、ハウジング１１、羽根車１２、止め輪１３及びステータ１４を備える。  
羽根車１２とステータ１４は、ハウジング１１内に設置され、羽根車１２は、ハブ１２１、ハブ１２１の周縁に配置される複数の羽根１２２、及び、回転軸１２３を有する。  
回転軸１２３はステータ１４の軸受１４１に取り付けられる。  
止め輪１３は、回転軸１２３の凹部１２３１に設置されて、且つ、軸受１４１に張り付き、回転軸１２３に対して制限機能を提供して、羽根１２が運転時に脱落するのを防止する。
【０００４】
しかしながら、このような羽根１２を拘束する方式は、止め輪１３を配置するための充分な空間を有する必要がある。  
つまり、回転軸１２３の長さが維持されるか、軸受１４１の長さを短くする必要があるということである。  
もし、回転軸１２３の長さを維持すると、製品の薄型化に不利であり、軸受１４１の長さを短くすると、間接的にファン１の使用寿命に影響する。  
さらに、追加する止め輪１３もコストの増加を招くことになる。
【考案の概要】
【考案が解決しようとする課題】
【０００５】
したがって、本考案は、ファンの性能及び構造強度に影響しないという前提の下、回転軸の高さを低くして、ファン全体を軽薄化する目的を達するファンを提供することを課題とする。
【課題を解決するための手段】
【０００６】
上記課題を解決するために、本考案は、回転軸の高度を低くして、羽根の脱落を防止するファンを提供することを目的とする。
【０００７】
上記目的を達成するために、本考案のファンは、ハウジング、羽根車及び少なくとも１個の制限機構を備える。  
ハウジングは収納空間を有する。  
羽根車は収納空間に設置されて、ハブを有して、複数の羽根がハブの周縁に配置される。  
制限機構は、羽根の先端とハウジングの内側の間に位置して、さらに、羽根の先端またはハウジングの内側に設置される。
【０００８】
このように、本考案のファンは、制限機構が羽根の先端とハウジングの内側の間に位置して、羽根の先端またはハウジングの内側に設置されることで、ファンの運転時に、制限機構が羽根が外に向かって移動するのを拘束すると同時に、点接触でぶつかる方式で適当に羽根を正常運転するための軌跡上に弾き戻す。
【考案の効果】
【０００９】
本考案のファンは、制限機構が羽根の先端とハウジングの内側の間に位置して、羽根の先端またはハウジングの内側に設置されることで、ファンの運転時に、制限機構が羽根が外に向かって移動するのを拘束すると同時に、点接触でぶつかる方式で適当に羽根を正常運転するための軌跡上に弾き戻す。
【図面の簡単な説明】
【００１０】
【図１】従来のファンを示した図である。
【図２Ａ】本考案の好適な実施形態におけるファンの立体分解図である。
【図２Ｂ】図２ＡのＡＡ断面図である。
【図２Ｃ】図２Ａを上から見た図である。
【図３Ａ】本考案の好適な実施形態におけるファンの制限機構の変化態様を示した図である。
【図３Ｂ】本考案の好適な実施形態におけるファンの制限機構の変化態様を示した図である。
【図３Ｃ】本考案の好適な実施形態におけるファンの制限機構の変化態様を示した図である。
【図４Ａ】本考案の好適な実施形態におけるファンの変化態様を示した図である。
【図４Ｂ】本考案の好適な実施形態におけるファンの変化態様を示した図である。
【図５Ａ】本考案の好適な実施形態におけるファンの変化態様を示した図である。
【図５Ｂ】本考案の好適な実施形態におけるファンの変化態様を示した図である。
【図６Ａ】本考案の好適な実施形態におけるファンの変化態様を示した図である。
【図６Ｂ】本考案の好適な実施形態におけるファンの変化態様を示した図である。
【考案を実施するための形態】
【００１１】
以下、図を参照しながら、本考案の好適な実施形態におけるファンについて説明する。
【００１２】
図２Ａは、本考案の好適な実施形態におけるファンの立体分解図である。  
図２Ｂは、図２ＡのＡＡ断面図である。  
図２Ａと図２Ｂに示したように、ファン２は、ハウジング２１、羽根車２２、少なくとも１個の制限機構２３及びステータ２４を備える。  
羽根車２２は、ハブ２２１及びハブ２２１の周縁に配置される複数の羽根２２２を有する。  
ハウジング２１は、収納空間２１０を有して、羽根車２２、ステータ２４がハウジング２１の収納空間２１０に設置される。  
ステータ２４は、ハウジング２１に固定される。  
羽根車２２の回転軸２２３は、ステータ２４の軸受２４１に取り付けられる。
ファン２は、ステータ２４によって羽根車２２を駆動して回転させると同時に、羽根２２２を動かして回転させる。  
制限機構２３は、羽根２２２の先端とハウジング２１の内側の間に位置する。
本実施形態において、制限機構２３は、羽根２２２の先端に設置される。
【００１３】
ファン２の回転時、羽根車２２がファンの軸方向において外に向かって移動すると、制限機構２３が羽根車２２の軸の方向が移動するのを拘束することにより、羽根車２２がハウジング２１の外に滑り出ることがない。  
制限機構２３がハウジング２１にぶつかると、羽根２２２が正常運転の軌跡上に弾き戻され、羽根車２２もそれにより所定の取り付け位置に戻る。
【００１４】
制限機構２３の設置位置は、ハウジング２１の開口部２１１０と羽根２２２の末端の間に位置する。  
図２Ｂからわかるように、Ｒ１は羽根２２２末端と回転軸２２３の間の距離、Ｒ２は制限機構２３とハブ２２１の回転軸２２３の間の距離、Ｒ３はハウジング２１の開口部２１１０と回転軸２２３の間の距離をそれぞれ表す。  
距離Ｒ２は、距離Ｒ１と距離Ｒ３の間の範囲にある。
【００１５】
制限機構２３と羽根２２２は一体となっており、制限機構２３は好適には突出物であり、突出物が羽根２２２上縁に突出する形態で設置される。  
突出物は、羽根と一体成型で製作されることも可能である。  
例えば、突出物と羽根を射出成形方式によって一体成形構造にする場合であるが、これに限るものではない。  
また、羽根２２２を先に成形した後、突出物を羽根２２２の先端上に粘着することも可能である。
【００１６】
ハウジング２１は、上部カバー２１１及び下部カバー２１２を有する。  
上部カバー２１１と下部カバー２１２は結合して収納空間２１０を定義する。
制限機構２３は、羽根２２２の先端と上部カバー２１１の内側の間に位置する。  
ハブ２２１の最上面は上部カバー２１１の開口部２１１０に向いている。
【００１７】
ステータ２４は、下部カバー２１２に固定される。  
羽根２２は、回転時、上部カバー２１１に向かって滑って移動しやすい。  
制限機構２３は、羽根車２２がステータ２４から脱落するのを防止するため、羽根車２２がファン２の軸方向に沿って移動するのを拘束すると同時に、羽根２２２を正常運転の位置に戻すための機構である。
【００１８】
図１と比較すると、回転軸２２３の下部は、止め輪を取り付けるための凹部を残す必要がない。  
このため、羽根車２２の回転軸２２３の長さは適当な縮減が可能である。  
このような設計は、ファンの薄型化が可能であり、本考案のファン２を設置した電子デバイス、例えば、ノートパソコンまたはタブレットパソコンの薄型化、軽量化を容易にする。
【００１９】
図２Ｃは、図２Ａを上から見た図である。  
図２Ａと図２Ｃからわかるように、ファン２は、複数の制限機構２３を有する。
制限機構２３と羽根車２２の回転軸２２３の間の距離は、いずれも同じである。
制限機構２３の配列は環状であり、且つ、全て同一の運転軌跡上にある。
【００２０】
図３Ａから図３Ｃは、本考案の好適な実施形態におけるファンの制限機構の変化態様を示した図である。  
図３Ａから図３Ｃに示したように、制限機構２３は突出物で、その形状は図３Ａのような円柱体、図３Ｂのような円錐体、または図３Ｃのような半円球体である。
【００２１】
図４Ａから図６Ｂは、本考案の好適な実施形態におけるファンを示した図である。  
前述の実施形態と異なる点は、制限機構が羽根２２２の先端に設置される他、ハウジング２１の内側に設置されるという点である。
【００２２】
図４Ａは、ファン２上方から羽根車に向かって見た図で、大部分の上部カバー２１１を省略した状態を示している。  
図４Ｂは、図４Ａのファンを、側面から見た部分断面図である。  
図４Ａと図４Ｂが示すように、制限機構２３は、ハウジング２１の内側の突出物に設置される。  
突出物は、ハウジング２１と一体成形で製作される。  
例えば、突出物と上部カバー２１１は、射出成形方式による一体成形の構造であるが、これに限るものではない。  
また、上部カバー２１１を先に成形した後、突出物を上部カバー２１１の内側に粘着することも可能である。  
突出物の断面形状は、図３Ａから図３Ｃのように、円柱体、円錐体、または半円球体、またはその他の形状の突出物も可能である。
【００２３】
また、図５Ａから図６Ｂにおいて、制限機構はハウジングの内側に設置されて、ハウジングと一体化させることも可能である。  
制限機構は、ハウジングが内側に向かって突出した形状、または、ハウジングが羽根に向かって延伸した一端部も可能である。
【００２４】
図５Ａは、ファン２上方から羽根車に向かって見た図で、大部分の上部カバー２１１を省略した状態を示している。  
図５Ｂは、図５Ａのファンを側面から見た部分断面図である。  
図５Ａと図５Ｂに示したように、制限機構２３ａは、上部カバー２１１の内側に設置されて、上部カバー２１１と一体化される。  
制限機構２３ａは、上部カバー２１１が内側に向かって突出した形状である。
制限機構２３ａは、プレス加工方式によって上部カバー２１１に形成された突出形状である。
【００２５】
図６Ａは、ファン２上方から羽根車に向かって見た図で、大部分の上部カバー２１１を省略した状態を示している。  
図６Ｂは、図６Ａのファンを側面から見た部分断面図である。  
図６Ａと図６Ｂに示したように、制限機構２３ａは、上部カバー２１１の内側に設置されて、上部カバー２１１と一体化する。  
上部カバー２１１の一端部は、羽根２２２に向かって延伸し、端部が制限機構２３ａとなる。
【００２６】
また、図５Ａから図６Ｂにおいて、ハウジング２１が制限機構２３ａに設置される他、羽根２２２上にも制限機構２３ｂが設置される。  
これらの制限機構２３ａ、２３ｂは対応して設置される。  
例えば、上部カバー２１１の開口部２１１０から羽根車２２に向かって見ると、ハウジング２１の制限機構２３ａは環状で、羽根２２２上の制限機構２３ｂが制限機構２３ａの環状エリアに嵌り込む。  
羽根２２２上の複数の制限機構２３ｂの運転軌跡とハウジング２１上の制限機構２３ａの形状は一致する。
【００２７】
図４Ａと図４Ｂの実施形態において、羽根２２２の最上端にもさらに制限機構が追加設置される。
【００２８】
以上の実施形態において、制限機構は磁性材料を有する。  
図５Ａから図６Ｂのファンで言えば、ハウジング２１と羽根２２２上の制限機構は、磁性により互いに反発しあう材料を有する。  
例えば、羽根２２２上の制限機構２３ｂがＮ極でハウジング２１の方に向き、ハウジング２１上の制限機構２３ａもＮ極で羽根２２２の方に向く。  
または、羽根２２２上の制限機構２３ｂがＳ極でハウジング２１の方に向き、ハウジング２１上の制限機構２３ａもＳ極で羽根２２２の方に向く。
【００２９】
以上の実施形態において、制限機構は、主に点接触方式でハウジングまたは羽根にぶつかることにより、羽根が正常運転の軌道上に戻される。  
このような設計方式は、ファンの性能及に構造強度に影響を与えないため、ファンの寿命と信頼度が維持される。  
また、羽根車回転軸の高度が縮減できて、ファン全体の軽薄化が可能である。
本考案のファンを設置した電子デバイス、例えば、ノートパソコンまたはタブレットパソコン等は、薄型化や軽量化が容易になる。
【００３０】
このように、本考案のファンは、制限機構が羽根の最上端及びハウジングの内側の間に位置し、羽根の最上端またはハウジングの内側に設置される。  
ファンの運転時、制限機構は羽根車が外に向かって移動するのを拘束して、点接触でぶつかる方式によって、適当に羽根を正常運転の軌跡上に弾き戻す。
【００３１】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００３２】
〔従来の技術〕
１…ファン
１１…ハウジング
１２…羽根車
１２１…ハブ
１２２…羽根
１２３…回転軸
１２３１…凹部
１３…止め輪
１４…ステータ
１４１…軸受
〔本考案〕
２…ファン
２１…ハウジング
２１０…収納空間
２１１…上部カバー
２１１０…開口部
２１２…下部カバー
２２…羽根車
２２１…ハブ
２２２…羽根
２２３…回転軸
２３、２３ａ、２３ｂ…制限機構
２４…ステータ
２４１…軸受
Ｒ１〜Ｒ３…距離
【図１】
0003174362.tif 000003
【図２Ａ】
0003174362.tif 000004
【図２Ｂ】
0003174362.tif 000005
【図２Ｃ】
0003174362.tif 000006
【図３Ａ】
0003174362.tif 000007
【図３Ｂ】
0003174362.tif 000008
【図３Ｃ】
0003174362.tif 000009
【図４Ａ】
0003174362.tif 000010
【図４Ｂ】
0003174362.tif 000011
【図５Ａ】
0003174362.tif 000012
【図５Ｂ】
0003174362.tif 000013
【図６Ａ】
0003174362.tif 000014
【図６Ｂ】
0003174362.tif 000015